(57)【要約】  メディアメッセージを提供するために無線ビーコンブロードキャストを使用するためのシステムおよび方法が開示される。メディアの第１の部分を含む第１のビーコン構成要素を有する第１のビーコンブロードキャストは、無線アクセスポイントから提供される。メディアの第２の部分を含む第２のビーコン構成要素を有する第２のビーコンブロードキャストは、無線アクセスポイントから提供される。メディアの第１の部分およびメディアの第２の部分は、完全なメディアメッセージを提供するために組合せ可能である。
2009533954.tif 000002
【特許請求の範囲】
【請求項１】
メディアメッセージ（４１８）を提供するために、無線ビーコンブロードキャストを使用するためのコンピュータで実施される方法であって、
無線アクセスポイント（２１０）から、メディアの第１の部分（４１８ａ）を含む第１のビーコン構成要素を有する第１のビーコンブロードキャスト（４１０）を提供するステップと、
前記無線アクセスポイント（２１０）から、メディアの第２の部分（４１８ｂ）を含む第２のビーコン構成要素を有する第２のビーコンブロードキャスト（４２０）を提供するステップとを含み、メディアの前記第１の部分（４１８ａ）およびメディアの前記第２の部分（４１８ｂ）は、完全なメディアメッセージ（４１８）を提供するために組合せ可能であることを特徴とするコンピュータで実施される方法。
【請求項２】
メディアの第１の部分（４１８ａ）を含む前記第１のビーコン構成要素およびメディアの第２の部分（４１８ｂ）を含む前記第２のビーコン構成要素に関する連結情報（５３５）を提供するステップをさらに含み、前記連結情報（５３５）は、前記メディアの前記第１の部分（４１８ａ）および前記メディアの前記第２の部分（４１８ｂ）を連結して、連結されたメディアメッセージ（４１８）を作成するための指令を提供することを特徴とする請求項１記載のコンピュータで実施される方法。
【請求項３】
メディアの第１の部分（４１８ａ）を含む前記第１のビーコン構成要素として、第１のサービスセット識別子（ＳＳＩＤ）を利用するステップと、
メディアの第２の部分（４１８ｂ）を含む前記第２のビーコン構成要素として、第２のＳＳＩＤ（３２５）を利用するステップと、
前記第１のＳＳＩＤ（３２５）および前記第２のＳＳＩＤ（３２５）を、一意の識別子（４１２）と、連続番号（４１４）と、より多くのフラッグ（４１６）と、前記メディア（４１８）の一部とを含むフォーマットの形で提供するステップとをさらに具えたことを特徴とする請求項１記載のコンピュータで実施される方法。
【請求項４】
メディアの第１の部分（４１８ａ）を含む前記第１のビーコン構成要素として、第１の基本サービスセット識別子（ＢＳＳＩＤ）を利用するステップと、
メディアの第２の部分（４１８ｂ）を含む前記第２のビーコン構成要素として、第２のＢＳＳＩＤ（３７５）を利用するステップと、
前記第１のＢＳＳＩＤ（３７５）および前記第２のＢＳＳＩＤ（３７５）を、一意の識別子（４１２）と、連続番号（４１４）と、より多くのフラッグ（４１６）と、前記メディア（４１８）の一部とを含むフォーマットの形で提供するステップとをさらに具えたことを特徴とする請求項１記載のコンピュータで実施される方法。
【請求項５】
メディアの第１の部分（４１８ａ）を含む前記第１のビーコン構成要素として、第１の情報要素（ＩＥ）（３６５）を利用するステップと、
メディアの第２の部分（４１８ｂ）を含む前記第２のビーコン構成要素として、第２のＩＥ（３６５）を利用するステップと、
前記第１のＩＥ（３６５）および前記第２のＩＥ（３６５）を、一意の識別子（４１２）と、連続番号（４１４）と、より多くのフラッグ（４１６）と、前記メディアの一部（４１８）とを含むフォーマットの形で提供するステップとをさらに具えたことを特徴とする請求項１記載のコンピュータで実施される方法。
【請求項６】
前記メディアメッセージ（４１８）は、テキスト、音声、およびビデオを含むフォーマットのグループから選択されたユーザ感覚によるフォーマットの形で提供されることを特徴とする請求項１記載のコンピュータで実施される方法。
【請求項７】
第１のビーコン基本サービスセット識別子（ＢＳＳＩＤ）に前記第１のビーコンブロードキャスト（４１０）と前記第２のビーコンブロードキャスト（４２０）とを提供するステップであって、前記第１のビーコンおよび前記第２のビーコンは、前記メディア（４１８）メッセージのうちの少なくとも一部を提供するステップと、
第２のビーコンＢＳＳＩＤ（３７５）に前記アクセスポイント（２１０）から、前記アクセスポイント（２１０）に接続情報を提供する第３のビーコンブロードキャストを提供するステップと、
前記アクセスポイント（２１０）が前記第１のＢＳＳＩＤ（３７５）をブロードキャストする場合、前記アクセスポイント（２１０）を利用している消費者が切断されないように、前記第１のビーコンＢＳＳＩＤ（３７５）と前記第２のビーコンＢＳＳＩＤ（３７５）の間で交換するステップとをさらに具えたことを特徴とする請求項１記載のコンピュータで実施される方法。
【請求項８】
前記方法は、パブリッシュ／サブスクライブモデルと、一意のＢＳＳＩＤ（３７５）トラッカーと、ホームアクセスポイント（２１０）モデルと、変化する受信レートモデルとからなる収益モデルのグループから選択された収益モデルを含むことを特徴とする請求項１記載のコンピュータで実施される方法。
【請求項９】
メディアメッセージ（４１８）を提供するために無線ネットワークビーコンのサービスセット識別子（ＳＳＩＤ）部分を使用するためのシステムであって、
無線アクセスポイント（２１０）と、
前記無線アクセスポイント（２１０）から第１のビーコンブロードキャスト（４１０）を提供するように構成された第１のＳＳＩＤ（３２５）部分プロバイダと、
前記無線アクセスポイント（２１０）から第２のビーコンブロードキャスト（４２０）を提供するように構成された第２のＳＳＩＤ（３２５）部分プロバイダと、
を含み、前記第１のＳＳＩＤ（３２５）および前記第２のＳＳＩＤ（３２５）は、ユーザ感覚によるフォーマットの形でメディアメッセージの少なくとも一部（４１８）を受信するための指令を提供するために組合せ可能であることを特徴とするシステム。
【請求項１０】
単一のビーコン内に常駐する、前記メディアメッセージ（４１８）の第１の層ＳＳＩＤ（３２５）部分を提供するように構成された第１の層ＳＳＩＤ（３２５）部分プロバイダと、
複数のビーコンの全域で分散された、前記メディアメッセージ（４１８）の第２の層ＳＳＩＤ（３２５）部分を提供するように構成された第２の層ＳＳＩＤ（３２５）部分プロバイダとをさらに具えたことを特徴とする請求項９記載のシステム。
【請求項１１】
ユーザ感覚によるフォーマットの形で完全な前記メディアメッセージ（４１８）を提供するために、複数のビーコン上で前記メディアメッセージ（４１８）の複数のＳＳＩＤ（３２５）部分を組み合わせるために連結情報（５３５）を提供するように構成された連結情報プロバイダ（５３５）をさらに具えたことを特徴とする請求項９記載のシステム。
【請求項１２】
消費者装置がネットワーク接続上で完全な前記メディアメッセージ（４１８）をダウンロードすることを可能にするために、アクセスポイント広告センターＵＲＬを提供するように構成されたアクセスポイント広告センターＵＲＬプロバイダ（５４５）をさらに含み、前記完全なメディアメッセージ（４１８）のダウンロードは前記アクセスポイント（２１０）によって提供された前記広告センターＵＲＬに基づくことを特徴とする請求項９記載のシステム。
【請求項１３】
コンピュータで利用可能な媒体上の命令であって、実行された場合、メディアメッセージ（４１８）を提供するために、コンピュータシステムに無線ネットワーク（２００）のアクセスポイント（２１０）からの少なくとも２個のビーコンブロードキャストのサービスセット識別子（ＳＳＩＤ）部分を連結させるための方法を実行させ、前記コンピュータで実施される方法は、
メディアの第１の部分（４１８ａ）を含む第１のＳＳＩＤ（３２５）を有する第１のビーコン（４１０）をブロードキャストするステップと、
メディアの第２の部分（４１８ｂ）を含む第２のＳＳＩＤ（３２５）を有する第２のビーコン（４２０）をブロードキャストするステップであって、メディアの前記第１の部分（４１８ａ）およびメディアの前記第２の部分（４１８ｂ）は識別可能であるステップと、
前記第１のＳＳＩＤ（３２５）部分および前記第２のＳＳＩＤ（３２５）部分に関係している連結情報（５３５）を提供するステップであって、前記連結情報（５３５）は、メディアの前記第１の部分（４１８ａ）およびメディアの前記第２の部分（４１８ｂ）を連結して、連結されたメディアメッセージ（４１８）を作成するための指令を提供するステップと
を具えたことを特徴とする命令。
【請求項１４】
前記メディアメッセージ（４１８）は、テキスト、音声、およびビデオを含むフォーマットのグループから選択されたユーザ感覚によるフォーマットの形で提供されることを特徴とする請求項１３記載の命令。
【請求項１５】
前記第１のＳＳＩＤ（３２５）および前記第２のＳＳＩＤ（３２５）を、一意の識別子（４１２）と、連続番号（４１４）と、より多くのフラッグ（４１６）と、前記メディア（４１８）の一部とを含むフォーマットの形でブロードキャストするステップをさらに具えたことを特徴とする請求項１３記載の命令。
【請求項１６】
前記無線アクセスポイント（２１０）のブロードキャストデータ転送速度を修正することによって、前記第１のビーコン（４１０）および前記第２のビーコン（４２０）のブロードキャスト範囲を制御するステップをさらに具えたことを特徴とする請求項１３記載の命令。
【請求項１７】
前記無線アクセスポイント（２１０）のブロードキャスト電力を修正することによって、前記第１のビーコン（４１０）および前記第２のビーコン（４２０）のブロードキャスト範囲を制御するステップをさらに具えたことを特徴とする請求項１３記載の命令。
【請求項１８】
前記無線ネットワーク（２００）のアクセスポイント（２１０）から前記第１のビーコン（４１０）と前記第２のビーコン（４２０）とをブロードキャストするステップをさらに具えたことを特徴とする請求項１３記載の命令。
【請求項１９】
前記アクセスポイント（２１０）から、前記メディアメッセージ（４１８）のうちの少なくとも一部を提供する、前記第１のビーコン（４１０）および前記第２のビーコン（４２０）を含む第１のビーコン（４１０）基本ＳＳＩＤ（ＢＳＳＩＤ）をブロードキャストするステップと、
前記アクセスポイント（２１０）から、前記アクセスポイント（２１０）に接続情報を提供する第３のビーコンを有する第２のビーコンＢＳＳＩＤ（３７５）をブロードキャストするステップと、
前記アクセスポイント（２１０）が前記第１のＢＳＳＩＤ（３７５）をブロードキャストする場合、前記アクセスポイント（２１０）を利用している消費者が切断されないように、前記第１のビーコンＢＳＳＩＤ（３７５）と前記第２のビーコンＢＳＳＩＤ（３７５）の間で交換するステップとをさらに具えたことを特徴とする請求項１８記載の命令。
【請求項２０】
前記無線ネットワーク（２００）のために複数のアクセスポイント（２１０）を提供するステップをさらに含み、少なくとも第１のアクセスポイント（２１０）は、前記無線ネットワーク（２００）にアクセスを提供し、少なくとも第２のアクセスポイント（２１０）は前記メディアメッセージ（４１８）を提供することを特徴とする請求項１３記載の命令。
【発明の詳細な説明】
【背景技術】
【０００１】
現在、多くの消費者は、彼らの日課の間、何らかのタイプのパーソナル電子装置を持ち運ぶ。例えば、一般的な人は、移動体電話、携帯情報端末（ＰＤＡ）、ラップトップ、パームトップ、電話−ＰＤＡ−パームトップの組合せ装置など、１つまたは複数の移動体装置の取り合わせを持ち運び、使用する場合がある。
【０００２】
消費者が移動体装置を持ち運ぶ前には、広告主が消費者の関心を引くことを望んだ場合、広告主は、人目につく場所でのポスター、広告掲示板、雑誌または新聞の広告、電話番号広告など、静的な広告を提供したであろう。しかし、広告主は常に消費者の関心を引く方法を広げている。例えば、車内のナビゲーション装置の設置により、広告主はナビゲーションプロバイダにコンテンツを提供することを非常に望んでいる。結果として、消費者が車を運転している場合、消費者はナビゲーション装置にアクセスして、利用可能なリソースのリストを受信することができる。
【０００３】
すなわち、消費者が、例えば、夕食に関心がある場合、ナビゲーション装置は、レストランのリストとそれらのレストランに関連する距離とを提供することになる。さらに、ナビゲーション装置は、距離、食品の種類、事前にプログラムされた好物、広告主の支払いなどの基準に基づいて消費者に異なる選択を提供することになる。類似のシナリオで、消費者はインターネットにアクセスするためにコンピュータを利用して、名前、種類、場所などに基づいてレストランを探索することができる。
【０００４】
それにより、広告主は、消費者が決定を行う場合、または構想を探す場合、消費者はインターネットおよび移動体装置にますます依存していることを認識しており、それに応じて、広告主の電子通信的な存在を増大した。しかし、消費者が車の中にいない場合、インターネットへの即時アクセスを有さない場合、またはインターネットへのアクセスを有するが、それらの場所を知らない場合、重大な問題が存在する。
【０００５】
例えば、消費者が商店街または市場の中を歩いており、その区域内の店またはレストランのリストを知ることを望む場合、４１１を呼び出すことは時間がかかり、インターネット上で情報を調べることは、ユーザが自らの位置を知り、インターネット接続性を利用可能にしてインターネットアクセス可能な装置へのアクセスを有することを要求する。
【０００６】
この問題に対する１つの解決法は、近くの当該場所を列挙する地図を提供することである。しかし、この種の手法には２つの問題がある。第一に、地図内で提供される情報は、通常、静的であり、広告主が何らのリアルタイムまたはニアリアルタイム（ｎｅａｒ−ｒｅａｌ−ｔｉｍｅ）の情報を消費者に提供することを可能にしない。例えば、店が大特売をしている場合、静的な地図はこの情報を提供しないことになる。したがって、消費者がその店の前を通りかからない場合、消費者はその特売について知らないことになる。第二に、消費者はレストランを探しており、利用可能な選択肢のすべてを発見せずに、またはそれらに気づくことさえなく地図上の初めのレストランのうちの１つを選択する可能性がある。したがって、静的なリスト上のより高いところにあるレストランは、リスト上のより低いところにあるレストランよりもより多くの消費者を集める機会を有する。
【発明の開示】
【発明が解決しようとする課題】
【０００７】
したがって、必要とされるのは、情報を消費者にリアルタイムまたはニアリアルタイムで動的または半動的に提供するための方法である。
【課題を解決するための手段】
【０００８】
この問題を解決するための手段は、下の発明を実施するための最良の形態でさらに説明される概念の選択を簡素化された形で紹介するために提供される。この問題を解決するための手段は、特許請求される主題の主な特徴または必須の特徴を識別することが意図されず、特許請求される主題の範囲を決定する際の助けとして使用されることも意図されない。
【０００９】
メディアメッセージを提供するために無線ビーコンブロードキャストを使用するためのシステムおよび方法が開示される。メディアの第１の部分を含む第１のビーコン構成要素を有する第１のビーコンブロードキャストは、無線アクセスポイントから提供される。メディアの第２の部分を含む第２のビーコン構成要素を有する第２のビーコンブロードキャストは、無線アクセスポイントから提供される。メディアの第１の部分およびメディアの第２の部分は、完全なメディアメッセージを提供するために組合せ可能である。
【００１０】
この明細書内に組み込まれ、この明細書の一部を形成する添付の図面は、メディアメッセージを提供するために無線ビーコンブロードキャストを使用するための技術の実施形態を例示し、説明と共に、下で議論される原理を説明する働きをする。
【００１１】
この説明において参照される図面は、具体的に表明されている場合を除き、原寸に比例していないと理解されるべきである。
【発明を実施するための最良の形態】
【００１２】
次に、その例が添付の図面内で例示される、メディアメッセージを提供するために無線ビーコンブロードキャストを使用するための本技術の実施形態が詳しく参照される。メディアメッセージを提供するために無線ビーコンブロードキャストを使用するための技術は様々な実施形態に関して説明されるが、これらはメディアメッセージを提供するために無線ビーコンブロードキャストを使用するための本技術をこれらの実施形態に限定することが意図されない。逆に、メディアメッセージを提供するために無線ビーコンブロードキャストを使用するための提示された技術は、特許請求の範囲によって定義される様々な実施形態の精神および範囲の中に包括され得る代替形態、修正形態および均等物を網羅することが意図される。
【００１３】
さらに、以下の詳細な説明では、メディアメッセージを提供するために無線ビーコンブロードキャストを使用するための本技術の十分な理解をもたらすために、多数の特定の詳細が記載される。しかし、メディアメッセージを提供するために無線ビーコンブロードキャストを使用するための本技術は、これらの特定の詳細なしで実施されることが可能である。他の事例では、本実施形態の態様を不必要にあいまいにしないために、よく知られた方法、手順、構成要素、および回路は説明されていない。
【００１４】
以下の議論から明確なように、特に具体的にその他の指定がない限り、「受信する」、「実行する」、「生成する」、「表示する」、「選択する」、「スクロールする」、「強調する」、「提示する」、「テストする」、「識別する」、「報告する」、「指示する」、「抑制する」、「提供する」、および「リフレッシュする」などの用語を利用する議論は、コンピュータシステム、または類似の電子コンピューティング装置の動作およびプロセスを指す。コンピュータシステムまたは類似の電子コンピューティング装置は、コンピュータシステムのレジスタ内およびメモリ内の物理（電子）量として表されるデータを操作し、当該データを、コンピュータシステムのメモリ内もしくはレジスタ内またはその他のかかる情報記憶装置内、伝送装置内、もしくは表示装置内の物理量として同様に表されるその他のデータに変換する。メディアメッセージを提供するために無線ビーコンブロードキャストを使用するための本技術は、例えば、光コンピュータおよび機械コンピュータなど、その他のコンピュータシステムの使用にも大変適している。加えて、メディアメッセージを提供するために無線ビーコンブロードキャストを使用するための本技術の実施形態では、１つまたは複数のステップは手動で実行され得る点を理解されたい。
【００１５】
例示的なコンピュータシステム環境
次に、図１を参照すると、メディアメッセージを提供するために無線ビーコンブロードキャストを使用するための技術の一部は、例えば、コンピュータシステムのコンピュータで利用可能な媒体内に常駐するコンピュータ可読命令およびコンピュータ実行可能命令から構成される。すなわち、図１は、下で議論される、メディアメッセージを提供するために無線ビーコンブロードキャストを使用するための本技術の実施形態を実施するために使用され得るコンピュータのタイプの一例を示す。図１は、メディアメッセージを提供するために無線ビーコンブロードキャストを使用するための本技術の実施形態に従って使用される例示的なコンピュータシステム１００を例示する。図１のシステム１００は、単に例示的であり、メディアメッセージを提供するために無線ビーコンブロードキャストを使用するための本技術は、ネットワーク化された汎用コンピュータシステム、埋込み式コンピュータシステム、ルータ、スイッチ、サーバ装置、消費者装置、様々な中間装置／ノード、独立型のコンピュータシステムなどを含む、いくつかの異なるコンピュータシステム上でまたはそれらの中で動作することが可能である点が理解される。図１に示されるように、図１のコンピュータシステム１００は、例えば、それに結合されたフロッピー（登録商標）ディスク、コンパクトディスクなどの周辺コンピュータ可読媒体１０２を有するように十分適合される。
【００１６】
図１のシステム１００は、情報を通信するためのアドレス／データバス１０４と、情報および命令を処理するためにバス１０４に結合されたプロセッサ１０６Ａとを含む。図１に示されるように、システム１００はまた、複数のプロセッサ１０６Ａ、１０６Ｂ、および１０６Ｃが存在するマルチプロセッサ環境にも大変適している。逆に、システム１００は、例えば、プロセッサ１０６Ａなど、単一プロセッサを有することにも大変適している。プロセッサ１０６Ａ、１０６Ｂ、および１０６Ｃは、様々なタイプのマイクロプロセッサのうちのいずれかであってよい。システム１００は、プロセッサ１０６Ａ、１０６Ｂ、および１０６Ｃ向けの情報および命令を記憶するためにバス１０４に結合されたコンピュータで使用可能な揮発性メモリ１０８（例えば、ランダムアクセスメモリ（ＲＡＭ））などのデータ記憶特徴機能も含む。システム１００は、プロセッサ１０６Ａ、１０６Ｂ、および１０６Ｃ向けの静的情報および命令を記憶するためにバス１０４に結合されたコンピュータで使用可能な不揮発性メモリ１００（例えば、読出し専用メモリ（ＲＯＭ））も含む。システム１００にやはり存在するのは、情報および命令を記憶するためにバス１０４に結合されたデータ記憶装置１１２（例えば、磁気または光ディスクおよびディスクドライブ）である。システム１００は、プロセッサ１０６Ａ、１０６Ｂ、および１０６Ｃに情報およびコマンド選択を通信するためにバス１０４に結合された、英数字キーおよびファンクションキーを含む、オプションの英数字入力装置１１４も含む。システム１００は、プロセッサ１０６Ａに、またはプロセッサ１０６Ａ、１０６Ｂ、および１０６Ｃにユーザ入力情報およびコマンド選択を通信するためにバス１０４に結合された、オプションのカーソル制御装置１１６も含む。本実施形態のシステム１００は、情報を表示するためにバス１０４に結合されたオプションの表示装置１１８も含む。
【００１７】
やはり図１を参照すると、図１のオプションの表示装置１１８は、ユーザが認識可能なグラフィック画像および英数字を作成するのに適した液晶装置、ブラウン管、プラズマディスプレイ装置またはその他の表示装置であってよい。オプションのカーソル制御装置１１６は、コンピュータユーザが、表示装置１１８の表示画面上で視覚的記号（カーソル）の移動を動的に信号で知らせることを可能にする。所与の方向の移動または変位方法を信号で知らせることができるトラックボール、マウス、タッチパッド、ジョイスティックまたは英数字入力装置１１４上の特殊キーを含めて、カーソル制御装置１１６の多くの実装形態が当技術分野で知られている。あるいは、カーソルは特殊キーおよびキーシーケンスコマンド（ｋｅｙ  ｓｅｑｕｅｎｃｅ  ｃｏｍｍａｎｄｓ）を使用して、英数字入力装置１１４からの入力を経由して導かれることおよび／またはアクティブ化されることが可能であることを理解されよう。システム１００は、例えば、音声コマンドなど、その他の手段によって導かれるカーソルを有するのにも大変適している。システム１００は、システム１００を外部の実体と結合するためのＩ／Ｏ装置１２０も含む。例えば、一実施形態では、Ｉ／Ｏ装置１２０は、システム１００と、インターネットなどであるが、これに限定されない、外部のネットワークの間の有線通信または無線通信を可能にするためのモデムである。メディアメッセージを提供するために無線ビーコンブロードキャストを使用するための本技術のより詳細な議論が下で判明される。
【００１８】
やはり図１を参照すると、システム１００向けの様々なその他の構成要素が示される。詳細には、存在する場合、コンピュータで使用可能な揮発性メモリ１０８（例えば、ランダムアクセスメモリ（ＲＡＭ））およびデータ記憶装置１１２の１つまたは複数の組合せの中に、通常、常駐するとして、オペレーティングシステム１２２と、アプリケーション１２４と、モジュール１２６と、データ１２８とが示される。一実施形態では、メディアメッセージを提供するために無線ビーコンブロードキャストを使用するための本技術は、例えば、ＲＡＭ１０８内のメモリ位置内およびデータ記憶装置１１２内のメモリ領域内のアプリケーション１２４またはモジュール１２６として記憶される。
【００１９】
技術の概要
概要として、一実施形態では、メディアメッセージを提供するために無線ビーコンブロードキャストを使用するための本技術は、空中で任意のおよびすべての受信可能なネットワークビーコンパケットを現在、絶え間なく聞いている多くの無線装置に関する。一実施形態では、テキスト、音声、ビデオなどのカスタマイズ可能なメディアメッセージは、複数のビーコンブロードキャスト上で複数のビーコンパケットの連結を経由して配信されることが可能である。
【００２０】
もう１つの実施形態では、ビーコンパケットは、特定のサーバアドレスに関してコンピューティング装置に情報を提供することが可能であり、コンピューティング装置は、サーバにアクセスして、特定の位置に基づいて、カスタマイズ可能なメディアメッセージを受信およびダウンロードすることが可能である。
【００２１】
しかももう１つの実施形態では、アクセスポイントからのビーコンは２つ以上の改変形態を含み得る。例えば、第１のビーコン改変形態は、アクセスポイントのための接続能力を用いてブロードキャストされ、第２のビーコン改変形態は、メディアメッセージだけおよび制限された接続情報を用いてまたは接続情報なしでてブロードキャストされる。様々なビーコンは、第２の改変形態のビーコンがブロードキャストされる場合、アクセスポイントに接続するために第１の改変形態のビーコンを使用する装置がアクセスポイントから切断されないように修正される。
【００２２】
したがって、メディアメッセージ散布（ｄｉｓｓｅｍｉｎａｔｉｏｎ）方式は、クライアントがメディアメッセージを受信するためにアクセスポイントに接続することを要求しないため、先行技術よりもより効率的である。
【００２３】
例示的なシステム
次に図２を参照すると、メディアメッセージを提供するために無線ビーコンブロードキャストを使用するための本システム２００の一実施形態の図が示される。以下の議論は、メディアメッセージを提供するために無線ビーコンブロードキャストを使用するための本システムの物理的構造の説明で始まる。この議論には、次いで、本技術の動作の説明が続く。物理的構造に関して、システム２００は、コンピューティングシステム２１５と、無線アクセスポイント２１０と、１つまたは複数の移動体コンピューティング装置２２０と、ネットワーク２３０とからなる。
【００２４】
一般に、コンピューティングシステム２１５は、図１のシステム１００などのコンピュータである。コンピューティングシステム２１５は、無線アクセスポイント２１０のビーコンコンテンツを制御するために使用される。一実施形態では、コンピューティングシステム２１５は、アクセスポイント２１０に直接的に接続されるか、またはネットワーク２３０上でアクセスポイント２１０と結合される。
【００２５】
無線アクセスポイント２１０は、ネットワーク２３０（例えば、インターネット）上で無線データ通信をサポートするために使用される。一実施形態では、無線アクセスポイント２１０は、ＩＥＥＥ基準８０２．１１アクセスポイントである。しかし、無線アクセスポイント２１０は、１つまたは複数の異なる動作モードに基づき動作することが可能である。ＩＥＥＥ８０２．１１基準の列挙は、本明細書で、簡潔さおよび明瞭さのために提供されるに過ぎない。より高い層の情報を運ぶデータフレームを提供することに加えて、無線アクセスポイント２１０は、移動体コンピューティング装置２２０が順序正しい形で無線アクセスポイント２１０との通信を確立および維持することを可能にするビーコンフレームも送信する。
【００２６】
移動体コンピューティング装置２００は、無線アクセスポイントからビーコン送信を受信して、そのビーコンに関連する任意のメディアを提示することが可能な（図１で説明された構成要素などの構成要素を有する）移動体コンピューティング装置である。例えば、メディアは、音声フォーマット、テキストメッセージ、画像、ビデオ、ユニフォームリソースロケータ（ＵＲＬ）、またはそれらの組合せの形で提示され得る。したがって、移動体コンピューティング装置２２０は、パームトップ、ラップトップ、携帯情報端末（ＰＤＡ）、移動体電話などであり得る。
【００２７】
次に図３を参照すると、本技術の一実施形態による典型的なビーコンフレーム３００が示される。複数の構成要素がビーコンフレーム３００の一部として示されるが、これらの構成要素は例示的である。すなわち、本明細書で利用されるビーコンフレーム３００は、より多いまたはより少ないコンテンツを含む、より多いまたはより少ない構成要素を提供することが容易に可能である。
【００２８】
一実施形態では、例示的なビーコンフレーム３００は、間隔構成要素３０５と、タイムスタンプ構成要素３１５と、サービスセット識別子構成要素（ＳＳＩＤ）３２５と、サポートレート構成要素３３５と、パラメータセット構成要素３４５と、能力情報構成要素３５５と、情報要素（ＩＥ）３６５と、基本サービスセット識別子（ＳＳＩＤ）構成要素３７５とを含む。
【００２９】
一般に、間隔構成要素３０５は、（図２の）アクセスポイント２１０からのビーコン送信間の時間量を提供する。タイムスタンプ３１５は、ビーコン３００を受信する局が、よく知られている同期化特徴を提供して、そのクロックを更新することを可能にする。ＳＳＩＤ３２５は、無線ネットワークを識別する。一般に、（図２の２１０などの）アクセスポイントは、ネットワークを識別して、ＳＳＩＤ３２５に基づいてアクセスを構成する目的でスニッフィング（ｓｎｉｆｆｉｎｇ）機能を可能にするために、ビーコンフレーム３００内にＳＳＩＤ３２５を含む。
【００３０】
サポートレート３３５は、アクセスポイント２１０から利用可能な、２Ｍｂｐｓ、５．５Ｍｂｐｓ、１１Ｍｂｐｓなどのレート情報を含む。パラメータセット３４５は、スペクトル、周波数などの信号情報を含み得る。能力情報３５５は、プライバシー、セキュリティ、およびユーザがアクセスポイントを利用するために必要なその他の要件など、局要件を含む。ＩＥ３６５は、２５３バイトの最大サイズを有し、本明細書で説明される動作などの動作を実行することが可能である。すなわち、サポートレート３３５などはＩＥ３６５であり得る。加えて、ＩＥ３６５は、特定のネットワークアクセスポイントに関連するカスタマイズされた構成要素であり得る。ＢＳＳＩＤ３７５は、アクセスポイント（ＡＰ）のメディアアクセス制御（ＭＡＣ）機械アドレスである。このフィールドは、各基本サービスセットを一意に識別する。
【００３１】
次に、図４ａおよび図４ｂを参照すると、一実施形態では、メディアメッセージは、複数の連結されたビーコンブロードキャスト上でビーコンフレームの一部の中に提供される。例えば、第１のビーコン４１０および第２のビーコン４２０は、複数のビーコンブロードキャスト上で受信されたメディアメッセージ４１８ａおよび４１８ｂを提供するために変化するビーコン部分を例示する。一般に、ビーコン部分４１０（または４２０）は、ＳＳＩＤ構成要素または任意のその他の構成要素（例えば、ＩＥ３６５、能力情報３５５、パラメータ３４５など）であり得る。
【００３２】
例えば、本明細書で説明されるように、一実施形態では、アクセスポイント２１０がアクセスをネットワーク２３０に提供せず、代わりに、広告ビーコンとしてだけ動作するために修正される場合、ビーコンフレーム３００内の構成要素のいずれかまたはすべてがメディアメッセージを提供するために修正されることが可能である。しかし、もう１つの実施形態では、アクセスポイントは、依然として、ネットワークに達するために実行可能な手段であり、したがって、非接続構成要素（またはＩＥ３６５などの追加の構成要素）だけが、ビーコン内にメディアメッセージを提供するために修正される。
【００３３】
一実施形態では、メディアメッセージを提供するために使用される構成要素は、複数のビーコンに及ぶメディアメッセージの容易な再組み立てを可能にするために４つのセクションに分割される。第１のセクションは、一意の識別子４１２（ａおよびｂ）であり、第２は連続番号４１４（ａおよびｂ）であり、第３はより多くのフラッグ４１６（ａおよびｂ）であり、第４はメディア４１８（ａおよびｂ）である。４つのセクションが本明細書で説明されるが、より多いまたはより少ないセクションが利用され得る。本明細書の４つのセクションの説明は一実施形態に過ぎず、本明細書で、簡潔さと明瞭さのために提供される。
【００３４】
一実施形態では、一意の識別子４１２（ａおよびｂ）は識別子を提供し、一方、連続番号４１４（ａおよびｂ）は受信された構成要素に関する順序を提供する。例えば、装置は、ビーコンが不足、損失などしていなかったことを確実にするために連続番号を検査することが可能である。より多くのフラッグ４１６は、受信されたビーコンがブロードキャストの最終ビーコンであるかどうか、またはより多くのメディア情報を有するより多くのビーコンが利用可能であるかについての情報を提供する。例えば、第１のビーコン４１０は、より多くのフラッグ４１６ａを有することになり、一方、第２のビーコン４２０は、より多くのフラッグ４１６ｂを有さないことになる。したがって、第２のビーコン４２０が受信され、より多くのフラッグ４１６ｂが負であり、連続番号４１４（ａおよびｂ）が不足していない場合、装置は、メディアメッセージがこの時完成したことを知ることになる。メディアメッセージ４１８ａおよび４１８ｂは、各ビーコン構成要素内に提供されたメディアの部分である。
【００３５】
例えば、両方のビーコンを受信した後、装置はメッセージ「Ｃｏｆｆｅｅ−Ｈｏｕｓｅ  ｃｏｆｆｅｅ  ｏｆ  ｔｈｅ  ｄａｙ  ｉｓ  Ｍｏｃｈａ  Ｊａｖａ（コーヒーハウスの本日のコーヒーはモカジャワです）」を生成することが可能であることになる。そうすることで、ブロードキャストしているアクセスポイントの範囲内で無線ビーコンを受信することができる装置を有する任意のユーザは、コーヒーハウスを探索せずに、任意のウェブサイトにアクセスせずに、任意の番号を呼び出さずに、または任意の明白な行為を行わずに、広告を受信することになる。したがって、ビーコンの性質のため、広告主は、消費者の費用負担なしに、リアルタイムまたはニアリアルタイムで消費者に情報を提供することが可能である。
【００３６】
次に、図５を参照すると、メディアメッセージを提供するために無線ビーコンブロードキャストを使用するための本システムの１つの例示的なアクセスポイント２１０のブロック図。一実施形態では、アクセスポイント２１０は、第１のＳＳＩＤ部分プロバイダ５１５と、第２のＳＳＩＤ部分プロバイダ５２５と、連結情報プロバイダ５３５と、アクセスポイント広告センターＵＲＬプロバイダ５４５とを含む。
【００３７】
本明細書で説明されるように、第１のＳＳＩＤ部分プロバイダ５１５および第２のＳＳＩＤ部分プロバイダ５２５は、ユーザ感覚によるフォーマット（ｕｓｅｒ  ｓｅｎｓｏｒｉａｌ  ｆｏｒｍａｔ）の形でメディアメッセージの少なくとも一部を受信するための指令を提供するために組合せ可能な第１および第２のブロードキャストビーコンＳＳＩＤを提供するように構成される。一実施形態では、組合せは、連結情報プロバイダ５３５によって提供された連結情報の助けにより実行される。広告センターＵＲＬプロバイダ５４５は、アクセスポイント広告センターＵＲＬを提供するように構成される。広告センターＵＲＬを利用することによって、消費者装置は、ネットワーク接続上で完成したメディアメッセージをダウンロードすることが可能である。
【００３８】
動作の例示的な方法
以下の議論は、メディアメッセージを提供するために無線ビーコンブロードキャストを使用するための本技術の動作を詳細に記載する。図６を参照すると、流れ図６００は、メディアメッセージを提供するために無線ビーコンブロードキャストを使用するための本技術の様々な実施形態によって使用される例示的な方法を示す。流れ図６００は、様々な実施形態で、コンピュータ可読命令およびコンピュータ実行可能命令の制御の下でプロセッサによって実行されるプロセスを含む。コンピュータ可読命令およびコンピュータ実行可能命令は、例えば、図１のコンピュータで使用可能な揮発性メモリ１０８、コンピュータで使用可能な不揮発性メモリ１１０、および／またはデータ記憶装置１１２データなどのデータ記憶特徴機能の中に常駐する。コンピュータ可読命令およびコンピュータ実行可能命令は、例えば、図１のプロセッサ１０６Ａおよび／またはプロセッサ１０６Ａ、１０６Ｂ、および１０６Ｃと共に制御または動作するために使用される。
【００３９】
流れ図６００で特定の詳細が開示されるが、かかる詳細は例示的である。すなわち、実施形態は、流れ図６００で列挙されるそれら以外の様々なその他の改変形態を実行するのに大変適している。流れ図６００内のステップは、提示されたステップと異なる順序で実行されることが可能であり、流れ図６００のすべてのステップが実行されなくてよい点が理解される。
【００４０】
次に、図６の流れ図６００を参照すると、本技術の一実施形態に従って、メディアメッセージを提供するために無線ビーコンブロードキャストを使用するための方法が示される。
【００４１】
次に、図６の６１０ならびに図２および図４を参照すると、一実施形態は、無線アクセスポイント２１０から第１のビーコン４１０ブロードキャストを提供する。第１のビーコン４１０ブロードキャストは、メディア４１８の第１の部分を含む第１のビーコン構成要素４１０を有する。例えば、図４の第１のビーコン４１０ブロードキャストは、メディアメッセージ４１８ａを含む。
【００４２】
通常、ビーコン３００は、装置２２０などの装置にアクセスポイント２１０に関する情報を提供するために使用される。装置２２０にアクセスポイント２１０に関する情報を提供することによって、装置２２０は、その特定のアクセスポイント２１０またはネットワーク２３０に関して大いに知ることが可能である。そうすることで、装置２２０は、ビーコンの信号強度、ネットワーク２３０の能力情報などに基づいて、アクセスポイント２１０に等級をつけることが可能である。
【００４３】
加えて、装置２２０がアクセスポイント２１０を経由してネットワーク２３０と結合される場合でさえ、装置２２０はその他のビーコンに関して引き続き定期的に走査することになる。走査警戒（ｓｃａｎｎｉｎｇ  ｖｉｇｉｌａｎｃｅ）は、装置２２０が、より良い接続である可能性がある、その他のアクセスポイントからその他のビーコンを見るための機会を提供し、または、現在のアクセスポイント２１０ビーコンが弱すぎて通信を維持できない場合に、ジャンプオフポイント（ｊｕｍｐ−ｏｆｆ  ｐｏｉｎｔ）を提供する。
【００４４】
したがって、図３のビーコン３００の使用は、無線ネットワークの動作全体に重要である。さらに、コンピューティング装置によるビーコンの一定の監視により、無線装置がビーコンをブロードキャストしているアクセスポイントに接続されるかどうかにかかわらず、ビーコンは、無線装置によって受信される能力を提供する。本明細書で説明される実施形態は、無線メディアメッセージを配信するための新しく承認されていない方法を提供するために、ビーコンとその受信属性とを利用する。これらのメディアメッセージは、テキスト、音声、ビデオなどを含む。さらに、メディアメッセージは、静的メッセージ、動的メッセージ、またはリアルタイムの変化するメッセージであり得る。
【００４５】
やはり図６の６２０ならびに図２および図４を参照すると、一実施形態は、無線アクセスポイント２１０からの第２のビーコン４２０ブロードキャストと、メディアの第２の部分４１８ｂを含む第２のビーコン構成要素４２０を有する第２のビーコン４２０ブロードキャストとを提供し、メディアの第１の部分４１８ａおよびメディアの第２の部分４１８ｂは、完成したメディアメッセージを提供するために組合せ可能である。一実施形態では、メディアメッセージは、テキスト、音声、およびビデオを含むフォーマットのグループから選択されたユーザ感覚によるフォーマットの形で提供される。
【００４６】
例えば、コンピューティング装置２２０が２個のビーコン（例えば、４１０および４２０）を受信して、メディアを連結する場合、コンピューティング装置２２０は、完成したメディアメッセージをユーザに提供することになる。本例では、メディアメッセージは、「Ｃｏｆｆｅｅ−Ｈｏｕｓｅ  ｃｏｆｆｅｅ  ｏｆ  ｔｈｅ  ｄａｙ  ｉｓ  ｍｏｃｈａ  ｊａｖａ（コーヒーハウスの本日のコーヒーはモカジャワです）」になる。さらに、メディアメッセージは、株価、広告、価格、特売、商品、営業時間、場所、住所、電話番号、特別品、所有者などであるが、これらに限定されない、任意の数の項目を含み得る。メディアの提示は本明細書でメッセージとして説明されるが、メディアは任意のタイプのフォーマットの形で提供され得る。例えば、メディアは会社のコマーシャルソング、最新のコマーシャルなどであり得る。
【００４７】
もう１つの実施形態では、メディアメッセージは、２つ以上の層に切断されることが可能である。すなわち、メディアメッセージは、異なる速度で送信されるまたは異なる数のビーコンブロードキャスト内にフィットする層を含み得る。例えば、各メッセージ４１８ａで、最も重要な情報（例えば、広告実体の名前および電話番号）が提供される。これは第１の層になり、名前および電話番号（またはその他の情報）が任意のビーコンブロードキャストを受信する任意の実体によって受信されるであろうことを確実にすることになる。あまり重要でない情報（例えば、住所、日替わり特別料理など）を有する第２の層も提供されることになり、１対のビーコンブロードキャスト（例えば、ビーコン４１０および４２０）に及ぶことになる。第２の層は、複数のビーコンを受信する領域内の装置に提供されることになる。
【００４８】
本明細書で説明される層方法は、任意の数の層を提供するために容易に拡張される。さらに、２層方法が本明細書で説明されるが、本技術は、動作のための層を要求しない。さらに、第１の層は最も重要な層であるとは限らず、各層は等しく重要であり得、または第２の層は第１の層よりより重要であり得る。したがって、本明細書で提供される層の議論は、簡潔さおよび明瞭さのために提供される一実施形態に過ぎない。
【００４９】
一実施形態では、異なる数のビーコン上で異なる層がブロードキャストするだけでなく、層ごとの送信レートも変化することが可能である。例えば、第１の層のビーコンは、１秒に５回送信されることが可能であり、一方、第２の層は１秒に３回送信されることが可能であるなどである。メディアメッセージサイズ、広告主のブロードキャスト当りの支払いシナリオなどに基づいて、さらなる調整を行うことも可能である。
【００５０】
しかも、もう１つの実施形態では、メディアメッセージは、すべてのユーザに部分的に利用可能であり得るが、パブリッシュ／サブスクライブ（ｐｕｂ−ｓｕｂ）オプションは、消費者が興味あるレベルを画定して、そのレベルで広告を受信することを可能にすることになる。例えば、消費者が加入者でない場合、または消費者がメディアメッセージ全体（例えば、広告、特売など）を受信することを望まない場合、装置は第１のレベルでのメディアメッセージだけを提供することが可能である。しかし、消費者が加入者であり、メディアメッセージ全体を受信することを望む場合、第１および第２の層の両方、またはメディアメッセージ全体が提供されることになる。すなわち、ｐｕｂ−ｓｕｂは、ユーザが見ることに関心がある詳細のレベルではなく、関心の範疇を特定することを目指す。
【００５１】
例えば、消費者が第１の層情報（例えば、店の名前）だけを受信することを選択する場合、消費者は任意のその他のメディア（例えば、広告など）を見逃すことになる。しかし、もう１人の消費者が加入者であり、同じメッセージを受信した場合、消費者は店の名前ならびに広告メッセージを見ることになる。
【００５２】
一実施形態では、ビーコン（例えば、４１０または４１０）は、メディアの第１の部分４１８ａを含む第１のＳＳＩＤ４１０およびメディアの第２の部分４１８ｂを含む第２のＳＳＩＤ４２０に関する連結情報も提供する。一般に、連結情報はメディアの第１の部分４１８ａおよびメディアの第２の部分４１８ｂを連結して、連結されたメディアメッセージを作成するための指令を提供する。
【００５３】
複数のビーコンブロードキャストからのメディアメッセージを連結することによって、かなりの利益が実施される。ＳＳＩＤフィールドを使用する１つの利益は、通常のＳＳＩＤ構成要素内で３２バイトが提供される、極めてより大きなサイズのメディアメッセージを提供するための能力である。すなわち、複数のビーコンＳＳＩＤ構成要素を連結することによって、メディアメッセージのサイズ限界は、クライアントのソフトウェアレベルでの連結プロセスの能力に基づいて増大される。さらに、ビーコン内の構成要素の連結を利用することによって、アクセスポイントは、より大きなメディアメッセージを配信すると同時に、依然としてネットワークへのゲートウェイとして実行可能である。加えて、アプリケーションレベルでの連結作業により、カーネルレベルの修正を要求せずに、より大きなメッセージが消費者の装置によって受信され得る。
【００５４】
連結可能なメッセージの部分を運ぶために修正され得る、しかももう１つのビーコンブロードキャスト構成要素は、ＢＳＳＩＤ３７５部分である。ＢＳＳＩＤフィールドを使用することの１つの利益は、通常のＢＳＳＩＤ構成要素内で６バイトが提供される、極めてより大きなサイズのメディアメッセージを提供するための能力である。すなわち、複数のビーコンＢＳＳＩＤ構成要素を連結することによって、メディアメッセージのサイズ限界は、クライアントのソフトウェアレベルでの連結プロセスの能力に基づいて増大される。さらに、ビーコン内の構成要素の連結を使用することによって、アクセスポイントは、より大きなメディアメッセージを配信すると同時に、依然としてネットワークへのゲートウェイとして実行可能である。加えて、アプリケーションレベルでの連結作業により、カーネルレベルの修正を要求せずに、より大きなメッセージが消費者の装置によって受信され得る。
【００５５】
連結可能なメッセージの一部を運ぶために修正され得る、もう１つのビーコンブロードキャスト構成要素はＩＥ３６５部分である。ＩＥ３６５フィールドを使用することの１つの利益は、サイズが２５３バイトであるメディアメッセージを提供するための能力である。さらに、ＩＥ３６５フィールドを連結することによって、通常のＩＥ３６５構成要素内で２５３バイトが提供される、極めてより大きなサイズのメッセージが実施される。すなわち、複数のビーコンＩＥ３６５構成要素を連結することによって、メディアメッセージのサイズ限界は、クライアントのソフトウェアレベルでの連結プロセスの能力に基づいて増大される。さらに、ビーコン内の構成要素の連結を利用することによって、アクセスポイントは、より大きなメディアメッセージを配信すると同時に、依然としてネットワークへのゲートウェイとして実行可能である。さらに、帯域幅はより高く、ＩＳＰサポートに対する要件は存在しないが、クライアントでのカーネル修正が必要な可能性がある。すなわち、場合によっては、非在来ＷｉＦｉカード内のドライバ変更が必要な可能性がある。
【００５６】
ビーコンパケットの一部の中にメディアメッセージを提供することによって、メディアプロバイダは、消費者がネットワークに接続されていてもいなくても、消費者の関心を引くことができる。加えて、ビーコンを修正することによって、（図２の）アクセスポイント２１０がネットワーク２３０へのアクセスを実際に提供してもしなくても、そのアクセスポイント２１０はビーコンを提供することが可能である。すなわち、装置２２０は、ビーコンを受信して、ビーコンをブロードキャストしているアクセスポイント２１０がネットワークアクセスを含むかどうかにかかわらず、ビーコンを処理することになる。ビーコンはプログラム可能であるため、メディアは更新可能であり、動的であり得る。例えば、メディアは残されたチケット数、日替わり特別料理、株価などを含み得る。
【００５７】
メディアメッセージブロードキャストを追跡するための１つの方法は、一意の基本ＳＳＩＤ（ＢＳＳＩＤ）をビーコンブロードキャストに割り当てることである。受信機２２０は、その場合、受信された各メディアメッセージに関して、時間とソースアクセスポイント２１０とを追跡することになる。次いで、アクセスポイント２１０（同じまたは異なるアクセスポイント２１０）は、装置２２０から情報を受信または要求することが可能である。一実施形態では、要求しているアクセスポイント２１０は、受信だけのために指定された特別アクセスポイント２１０である。もう１つの実施形態では、要求しているアクセスポイント２１０は通常のアクセスポイント２１０である。
【００５８】
受信されたメディアメッセージと、ビーコンをブロードキャストするアクセスポイントとを追跡することによって、特定のアクセスポイントの広告頻度を追跡することが可能である。そうすることで、送信されたメディアメッセージの数、受信された数、または複数のその他の送受信シナリオに基づいて支払うビジネスモデルを構築することが可能である。さらに、一実施形態では、メディアメッセージとしてだけアクセスポイントのビーコンブロードキャストを提供する能力のため、アクセスポイントは、バス、タクシー、電車など、移動するプラットフォーム上に設置され、定期的な広告またはその他の種類のメディアメッセージを提供することが可能である。一実施形態では、メディアメッセージは、メディアメッセージがまさしく何を含むか、または広告主がまさしく何を選択するかに応じて、アクセスポイントの位置に基づいた間隔で（例えば、特定の経路上で特定の時間に、時間調節された間隔でなど）ブロードキャストされることが可能である。
【００５９】
多くの場合、ビーコンの飽和を低減し、ビーコンのブロードキャスト範囲を制御することが重要であり得る。一実施形態では、この制御は無線アクセスポイント２１０のブロードキャストデータ転送速度を修正することによって達成される。もう１つの実施形態では、ビーコンのブロードキャスト範囲は、無線アクセスポイント２１０のブロードキャスト電力を修正することによって制御される。例えば、ビーコンブロードキャスト範囲は、より高い速度かつより低い電力でビーコンを送信することによって制御され得る。
【００６０】
一般に、インターネット２３０およびメディアメッセージプロバイダの両方への経路のために、ワイヤレスフィデリティ（ＷｉＦｉ）ネットワークまたは無線ローカルエリアネットワークのアクセスポイント２１０を利用するための複数の方法が存在する。一実施形態は、無線ネットワーク２３０のために複数のアクセスポイント２１０を提供し、無線ネットワーク２３０にアクセスするために少なくとも第１のアクセスポイント２１０が利用可能であり、ユーザ装置２２０にメディアメッセージを提供するために少なくとも第２のアクセスポイント２１０が利用可能である。
【００６１】
もう１つの実施形態は、１個のアクセスポイント２１０だけが実際にアクティブである場合、２個のアクセスポイント２１０をシミュレートするために、２個以上のビーコンブロードキャストになりすますことを必要とする。例えば、第１のビーコン基本ＳＳＩＤ（ＢＳＳＩＤ）には、第１のビーコンブロードキャスト４１０と第２のビーコンブロードキャスト４２０とが提供され、第１のビーコン４１０および第２のビーコン４２０は各々、メディアメッセージ４１８ａおよび４１８ｂの少なくとも一部をそれぞれ提供する。次いで、第２のビーコンＢＳＳＩＤには、同じアクセスポイント２１０から第３のビーコンブロードキャストが提供され、第３のビーコンブロードキャストは、アクセスポイント２１０に実際の接続情報を提供することになる。
【００６２】
次いで、ネットワーク２３０アクセスが提供されているかどうか（例えば、ビーコン３）、またはメディアメッセージがブロードキャストされているか（例えば、ビーコン１および２）に応じて、第１のビーコンＢＳＳＩＤと第２のビーコンＢＳＳＩＤの間で交換が実行される。異なるＢＳＳＩＤを単一のアクセスポイント２１０からの異なるブロードキャストと関連づけることによって、消費者は第２のアクセスポイント２１０がブロードキャストを送信していると信じることになるため、ネットワーク２３０へのアクセスのためにアクセスポイント２１０を利用している消費者は、アクセスポイントが第１のＢＳＳＩＤをブロードキャストする場合に切断されないことになる。
【００６３】
本明細書で述べるように、メディアメッセージは、ＳＳＩＤ構成要素３２５内またはビーコンパッケージ３００の任意のその他の構成要素内に配置されることが可能である。メディアがどのようにビーコンパケット内に配置されるかは、アクセスポイント２１０が機能ネットワークゲートウェイであるか否かに直接関係することになる。例えば、アクセスポイント２１０がメディアメッセージだけである場合、ビーコン３００の構成要素のいずれか、大部分、またはすべてすらメディアメッセージを含み得る。しかし、アクセスポイント２１０が、メディアメッセージプロバイダおよびネットワーク２３０へのゲートウェイの両方として動作する場合、修正され得るビーコン構成要素の数は多少削減される。
【００６４】
ビーコンが、ネットワーク２３０にゲートウェイを提供することになるアクセスポイント２１０からブロードキャストされる場合、広告主は、メディアメッセージを運ぶために、ＩＥ３６５またはその他のビーコンの下位構成要素など、ビーコン３００パッケージのその他の部分を依然として利用することが可能である。例えば、広告主は、ＳＳＩＤ３２５部分内の利用可能な３２バイトの代わりに、ＩＥ３６５構成要素内に最高で２５３バイトまでの空間を提供するために、在来ＷｉＦｉを活用することができるベンダー固有のオプションを提供することが可能である。多くの現代的なＷｉＦｉドライバでは、在来ＷｉＦｉを活用するための能力は標準であり、場合によっては、ＩＥ３６５メディアメッセージの利用は、メディアメッセージにアクセスするために消費者装置２２０上のＷｉＦｉドライバへの修正を要求することになる。さらに、ビーコン３００のその他の下位構成要素がメディアメッセージを運ぶために利用される場合、ビーコン３００下位構成要素の低減されたビットレートに合わせて調整するためにメッセージのサイズはかなり低減され得る。
【００６５】
一実施形態では、ＳＳＩＤ３２５またはその他のビーコン３００構成要素への修正に基づいてスパム行為を行うことまたは攻撃を削減するために、デジタル署名などであるが、これに限定されない、一意の識別子が検証の目的でビーコン内に含まれる。例えば、第１の店からのビーコンブロードキャストは、それが競争相手の店からのビーコンブロードキャストによってなりすまされなかったことを確実にするために検証されることになる。一般に、署名は消費者側のソフトウェアによって検証可能である。このソフトウェアは、独占的に提供されることが可能であり、テストに合格するメディアメッセージまたはＳＳＩＤを表示するためだけに使用される。加えて、検証は、アクセスポイント２１０からブロードキャストされた実アクセスポイント２１０だけを区別する際に役立つ可能性がある。
【００６６】
一実施形態では、ブロードキャストされている異なるビーコンを、ネットワークアクセスポイント、メディアメッセージプロバイダなど、異なる範疇に配置するために、分類（ｓｏｒｔｉｎｇ）ソフトウェアが使用される。例えば、消費者が何らかのタイプの分類プロセスを維持していなかった場合、どの異なるビーコン（例えば、単一のアクセスポイントからのビーコンの複数バージョンまたは単一のネットワーク２３０内の２個以上のアクセスポイントからブロードキャストされた複数のビーコン）もユーザの利用可能なネットワーク２３０のリスト内に現れることになる。これは結果として、消費者にとって圧倒的であり得る、利用可能なネットワークのかなりのリストをもたらすことになる。
【００６７】
もう１つの実施形態では、メディアメッセージプロバイダは、メッセージに基づいて分類されることが可能である。例えば、消費者は、衣類、食品、避難所などであるが、これらに限定されない範疇に分類されたメディアのリストを見ることになる。加えて、ソフトウェアは、選択されたメディアだけを見せるように、さらに調整されることが可能である。例えば、消費者は、食品のメディアを見せるが、避難所のメディアを見せないなどの目的で、結果をフィルタ処理することが可能である。このレベルのソフトウェアは、本明細書で詳細に説明されるｐｕｂ−ｓｕｂ方法に容易に拡張され、簡潔さおよび明瞭さのために繰り返されない。
【００６８】
しかも、もう１つの実施形態では、ビーコン４１０のメディア４１８部分内でメディアメッセージを提供する代わりに（または、それに加えて）、メディア４１８ａおよび／または４１８ｂ部分は、メディアメッセージを記憶したサーバへのリンクを含むことが可能である。例えば、連結されたメディアメッセージは、インターネットのためのサーバアドレスとパスワードとを含み得る。消費者がネットワーク２３０に接続した場合、またはユーザがネットワークに接続された場合、装置はインターネット上でサーバにアクセスして、パスワードを提供することになる。サーバは、次いで、そのパスワードに関連する任意のメディアメッセージのダウンロードを提供することになる。この方法は、消費者がカーネルレベルまたはアプリケーションレベルの修正を要求せずに、メディアメッセージを受信および閲覧することを有利に可能にする。
【００６９】
したがって、ビーコンから受信されたメディアメッセージは比較的小さい可能性があり、一方、ネットワーク２３０接続上でサーバから受信されたメディアメッセージはさらにより大きい可能性がある。この方法は、メディアのさらにより高速の配信を提供することになると同時に、ビーコン受信とネットワーク２３０接続性の間の速度の差により、より大きなメディアファイルも可能にする。サーバアドレスおよびパスワードが本明細書で議論されるが、パスワードは、位置を画定する目的でネットワーク上のサーバに位置情報を提供するための無数の可能な方法のうちの１つである。本明細書でのパスワードの使用は、簡潔さおよび明瞭さのために過ぎない。
【００７０】
サーバアドレス／位置識別子を利用することの追加の利点は、広告主が、メディアメッセージを受信するためにビーコンが受信および利用された回数を追跡することを可能にすることである。したがって、広告主は、ブロードキャストが受信および利用されたレートを知ることになる。これは、請求書作成のための方法ならびに「ホットスポット」および「コールドスポット」を認識するための方法を提供することになる。一般に、ホットスポットは、かなりの量のトラフィックをサーバに生成したビーコンであることになり、一方、コールドスポットは、あまり多くのトラフィックを生成しなかったビーコンであることになる。このシステムを利用して、広告主は、位置をテストして、最善の受信位置に従ってビーコンを配置することによって、ビーコンを戦略的に配置することが可能になる。
【００７１】
もう１つの実施形態では、消費者装置２１０は、アクセスポイント２１０ビーコンの受信時にネットワーク２３０にアクセスして、ネットワーク２３０に接続されたサーバからダウンロードされたメディアメッセージを受信することになる。このダウンロードは、まだネットワークに接続されていない装置２２０が、より高速のダウンロード速度で、メディアメッセージを受信することを可能にすることになる。もう１つの実施形態では、装置２２０は、装置２２０が接続された任意のネットワーク２３０から切断し、アクセスポイント２１０を経由してローカルネットワークに接続して、メディアメッセージをダウンロードし、次いで、ローカルネットワークから切断することになる。装置２２０は、次いで、初期のネットワーク２３０との接続をオプションで再確立することが可能である。
【００７２】
収益モデル
以下の議論は、複数の収益モデルを含む。いくつかの収益モデルが本明細書で説明されるが、実際の収益モデルは以下の例に限定されない。実際のモデルは、以下の例などの組合せであり得る。したがって、以下の例は、簡潔さおよび明瞭さのために、利用可能な無数の可能な収益モデルのうちのいくつかとして提供されるに過ぎない。
【００７３】
本明細書で説明されるように、１つの収益モデルでは、メディアメッセージは、すべてのユーザに対して部分的に利用可能であり得るが、パブリッシュ／サブスクライブオプションは消費者が関心あるレベルを画定して、そのレベルで広告を受信することを可能にすることになる。例えば、消費者が加入者でない場合、または消費者がメディアメッセージ全体（例えば、広告、特売など）を受信することを望まない場合、装置は第１のレベルでのメディアメッセージだけを提供することが可能である。しかし、消費者が加入者であり、メディアメッセージ全体を受信することを望む場合、第１および第２の層の両方、またはメディアメッセージ全体が提供されることになる。したがって、パブリッシュ／サブスクライブモデルの目的は、消費者が当該レベルだけでなく、当該範疇を特定することを可能にすることである。例えば、当該レベルは、消費者がすべてのビーコンの１０％、５０％または１００％を受信することを可能にし、範疇は消費者がそれらの頻度にかかわらず受信されている広告の種類を特定することを可能にする。
【００７４】
もう１つの収益モデルは、メディアメッセージブロードキャストを追跡することを含む。本明細書で説明されるように、ブロードキャストは、一意の基本ＳＳＩＤ（ＢＳＳＩＤ）をビーコンブロードキャストに割り当てることによって追跡される。もう１つの実施形態では、ブロードキャスト内に暗号化キーが提供される。受信機２２０は、その場合、受信された各メディアメッセージに関する時間およびソースアクセスポイント２１０、ならびに任意の関連する暗号化キーまたはその他の識別データを追跡することになる。次いで、アクセスポイント２１０（同じまたは異なるアクセスポイント２１０）は、装置２２０から情報を受信または要求することが可能である。一実施形態では、要求しているアクセスポイント２１０は、受信だけのために指定された特別アクセスポイント２１０である。もう１つの実施形態では、要求しているアクセスポイント２１０は通常のアクセスポイント２１０である。
【００７５】
受信されたメディアメッセージと、ビーコンをブロードキャストするアクセスポイントとを追跡することによって、特定のアクセスポイントの広告頻度を追跡することが可能である。そうすることで、送信されたメディアメッセージの数、受信された数、または複数のその他の送受信シナリオに基づいて支払うまたは支払いを受け取るビジネスモデルを構築することが可能である。
【００７６】
さらに、本明細書で説明されるように、メディアメッセージとしてだけアクセスポイントのビーコンブロードキャストを提供する能力のため、アクセスポイントは、バス、タクシー、電車など、移動するプラットフォーム上に設置され、定期的な広告またはその他の種類のメディアメッセージを提供することが可能である。もう１つの実施形態では、アクセスポイントは、地下鉄の駅、商店街、中心街などの公共の場に設置されることが可能である。さらに、メディアメッセージは、メディアメッセージがまさしく何を含むか、または広告主がまさしく何を費やそうと選択するかなどに応じて、アクセスポイントの位置に基づく間隔で（例えば、特定の経路上で特定の時間に、時間調節された間隔で、支払計画に応じてなど）ブロードキャストされることが可能である。
【００７７】
もう１つの収益モデルは、広告主が、メディアメッセージが受信された回数を追跡することを可能にするためにサーバアドレス／位置識別子を利用する。例えば、広告主は、特定のアクセスポイントからの特定のブロードキャストが受信および利用されたレートを知ることになる。これは、請求書作成方法ならびに「ホットスポット」および「コールドスポット」を認識するための方法を提供することになる。一般に、ホットスポットは、かなりの量のトラフィックをサーバに生成したビーコンであることになり、一方、コールドスポットは、あまり多くのトラフィックを生成しなかったビーコンであることになる。このシステムを利用して、ビーコンは、位置をテストして、最善の受信位置に従ってビーコンを配置することによって、戦略的に配置される得ることになる。さらに、広告レートは、ビーコンの受信レートに基づいて変化し得る。一実施形態では、変化するレートは入札ベースであり得る。
【００７８】
しかももう１つの収益モデルでは、「ホーム」アクセスポイントは広告ビーコンパートタイム（ｐａｒｔ  ｔｉｍｅ）をブロードキャストする。そうすることで、ユーザは、アクセスポイントが近傍でメディアメッセージを提供することを可能にすることによって、割引で、または無料ですら、ネットワークへのアクセスを受信することが可能である。したがって、近傍のホームは、広告プラットフォームになり得る。一般に、広告に関するレート、または割引は、近傍のサイズ、位置、または本明細書で説明されるそれらの方法などの認識に基づくことが可能である。
【００７９】
したがって、本実施形態は、メディアメッセージを提供するために無線ビーコンブロードキャストを使用するための方法およびシステムを提供する。加えて、本明細書で説明される実施形態は、無線ビーコンを使用してメディアメッセージを提供し、メディアメッセージは、受信装置がネットワーク接続を有するかどうかにかかわらず達成可能である。さらに、本明細書で説明される実施形態は、現在の消費者装置アーキテクチャによってサポートされ、ＷｉＦｉ標準を満たすメディアメッセージを提供するために無線ビーコンブロードキャストを使用するための方法およびシステムを提供する。
【００８０】
主題は、構造的特徴および／または方法論的行為に特定の言葉で説明されているが、特許請求の範囲内で定義される主題は、上述の特定の特徴または行為に限定されるとは限らない点を理解されたい。むしろ、上述の特定の特徴および行為は、特許請求の範囲を実施する例示的な形態として開示される。
【図面の簡単な説明】
【００８１】
【図１】メディアメッセージを提供するために無線ビーコンブロードキャストを使用するための本技術の実施形態に従って使用される例示的なコンピュータシステムの図である。
【図２】メディアメッセージを提供するために無線ビーコンブロードキャストを使用するための本システムの実施形態による１つの例示的な無線ネットワークの図である。
【図３】メディアメッセージを提供するために無線ビーコンブロードキャストを使用するための本システムのビーコンパケットの１つの例示的な実施形態の図である。
【図４ａ】メディアメッセージを提供するために無線ビーコンブロードキャストを使用するための本システムを利用するビーコン構成要素の一実施形態の図である。
【図４ｂ】メディアメッセージを提供するために無線ビーコンブロードキャストを使用するための本システムを利用する第２のビーコン構成要素の一実施形態の図である。
【図５】メディアメッセージを提供するために無線ビーコンブロードキャストを使用するための本システムの１つの例示的なアクセスポイントのブロック図である。
【図６】メディアメッセージを提供するために無線ビーコンブロードキャストを使用するための本技術の一実施形態にしたがって実行される動作の流れ図である。
【図１】
2009533954.tif 000003
【図２】
2009533954.tif 000004
【図３】
2009533954.tif 000005
【図４ａ】
2009533954.tif 000006
【図４ｂ】
2009533954.tif 000007
【図５】
2009533954.tif 000008
【図６】
2009533954.tif 000009
【国際調査報告】
2009533954.tif 000010
2009533954.tif 000011